(57)【要約】【課題】  閉戸時におけるはね返り防止を図ることは勿論のこと、閉戸状態で本施錠する場合には、従来の如く手動操作によることなく、トリガーの後退によって伝達機構を介してデッドハブが連動されて、錠杆を突出して本施錠が自動的に行えるようにした引戸錠を提供すること。【解決手段】  錠杆３０の切欠き部３１に係合されるデッドハブ４０の係合部４４には、一端を錠ケース１に回動自在に枢支した第１クリック部材６０の他端を連結してあり、閉戸時に、トリガー１０が枠や柱などの受１００に当接して許容位置まで後退した時に、前記錠杆３０は伝達機構２０を介して突出して枠や柱などの受１００に設けた受孔１０２に係合するとともに、前記デッドハブ４０と第１クリック部材６０とが錠杆３０の後退を阻止するようにしてある。【選択図】        図４
2006152776.tif 000002
【特許請求の範囲】
【請求項１】
閉戸時に枠や柱などの受に当接して後退され、かつ常時は突出方向に付勢されたトリガーと、伝達機構を介して、前記トリガーの後退により突出するとともにトリガーの突出により後退する錠杆と、前記錠杆の後部に形成した切欠き部に係合してシリンダーやサムターンなどの操作部材により作動されるデッドハブとを備えた引戸錠であって、
前記錠杆の切欠き部に係合されるデッドハブには、該デッドハブを施錠状態と解錠状態とに安定保持させる第１クリック部材が設けてあり、
閉戸時に、前記トリガーが枠や柱などの受に当接して許容位置まで後退した時に、前記錠杆は伝達機構を介して突出して枠や柱などの受に設けた受孔に係合するとともに、前記デッドハブと第１クリック部材とが錠杆の後退を阻止するようにしてなることを特徴とする引戸錠。
【請求項２】
前記伝達機構としては、一部をトリガーに連結するとともに他部を錠ケースに枢軸で枢支した第１揺動体と、第１揺動体に連結ピンで連結した第２揺動体及び第２クリック部材と、錠杆に設けた係合ピンと、一端を錠ケースに枢支するとともに、他端に前記係合ピンに係合される係合受部を有し常時には前記係合受部が係合ピンに係合するのを解除する方向にストッパーバネにより付勢されたストッパーとを備え、
開戸時において、前記トリガーは突出し錠杆は後退するとともに、前記ストッパーの係合受部は錠杆の係合ピンに係合するように設けてあり、トリガーの突出状態では、シリンダーやサムターンなどの操作部材によりデッドハブを施錠方向へ作動できない構成としてあり、
閉戸時において、トリガーが枠や柱などの受に当接して後退することにより、前記ストッパーの係合受部は錠杆に設けた係合ピンとの係合が解除され、前記第１揺動体は枢軸を支点に施錠方向に回動されるとともに、第２揺動体は連結ピンを支点に施錠方向に回動され該第２揺動体の係合部が錠杆に設けた係合ピンに係合しながら錠杆を施錠方向に突出させて行き、錠杆が完全に突出した状態では第２揺動体の係合部は第２クリック部材及び第１揺動体の作動により前記係合ピンとの係合が解除されるとともに、前記デッドハブの係合部は第１クリック部材の作動により錠杆の切欠き部の前部位置に係合されて錠杆の後退を阻止するように自動施錠される構成としてあり、
前記施錠状態から解錠状態とするには、シリンダーやサムターンなどの操作部材により前記デッドハブを第１クリック部材の作用により解錠方向へ回動することにより錠杆を後退しながら、デッドハブの係合部が第１クリック部材の作動により錠杆の切欠き部の後部位置に係合されて錠杆を後退して開戸可能となるとともに、トリガーがトリガーバネにより突出しながら、そのトリガーバネによるトリガーの突出に連動して第１揺動体と第２揺動体が回動するとともに、前記ストッパーの係合受部が錠杆に設けた係合ピンに係合されて開戸できるようにしてある請求項１記載の引戸錠。
【請求項３】
前記錠杆は、後部にデッドハブ係合用の切欠き部を、前端部に凹部を有するデッドボルトと、このデッドボルトの凹部に回動可能に枢支した鎌片とからなる請求項１または２記載の引戸錠。
【発明の詳細な説明】
【技術分野】
【０００１】  本発明は引戸錠に係わり、詳しく言えば戸を閉鎖するだけで自動的に本施錠できる引戸錠に関する。
【背景技術】
【０００２】  従来、この種の引戸錠としては、例えば、本願出願人の出願に係る実開昭５７−１１０２６０号公報（特許文献１）記載の引戸錠が知られている。【０００３】  上記特許文献１の第３図に示されたものは、閉戸時に枠や柱などの受に当接して後退され常時は突出方向に付勢されるとともに一部にラックを有するトリガーと、前記トリガーのラックに噛合されるピニオンと後述の係止片の係止部に係合する係合部とを有する錠杆（鎌体）と、閉戸時の慣性力によって作動する係止片と、シリンダーへのキー操作又はサムターンの操作によって上下動される摺動片とを備えている。【０００４】  そして、閉戸時に、前記トリガーが枠や柱などの受に当接して後退することにより、前記トリガーのラックと錠杆のピニオンとの噛合作用で錠杆が突出されて、相手方の受孔に係合され施錠される。一方、開戸時にはトリガーが突出することにより、上記ラックとピニオンの噛合作用で錠杆が後退されて解錠される。【０００５】  また、錠杆が施錠状態において、前記シリンダーへのキー操作又はサムターンの操作によって摺動片を上動することにより、該摺動片の係止部を錠杆の係合部に係合させて錠杆の後退を阻止し本施錠状態とすることができるようにしてある。【０００６】  上記構成により、閉戸時に、戸が相手方の枠や柱に当たった反動力によって、戸が開放方向に移動しようとするが、その瞬間の戸の慣性力によって前記係止片が回動し該係止片の係止部と錠杆の係合部とが係合して、錠杆の後退を阻止するため、戸は開放方向へ移動されず、戸の閉鎖時におけるはね返りを防止することができる。【０００７】  しかしながら、閉戸状態で本施錠するめには、前述したように、シリンダーへのキーによる手動操作又はサムターンの手動操作によって摺動片を上動する必要があるため、手間がかかる上に面倒であるという問題があった。
【特許文献１】  実開昭５７−１１０２６０号公報
【発明の開示】
【発明が解決しようとする課題】
【０００８】  本発明は、上記従来の問題を解消するため、閉戸時におけるはね返り防止を図ることは勿論のこと、閉戸状態で本施錠する場合には、従来の如く手動操作によることなく、トリガーの後退によって伝達機構を介してデッドハブが連動されて、錠杆を突出して本施錠が自動的に行えるようにした引戸錠を提供することを目的とする。
【課題を解決するための手段】
【０００９】    上記目的を達成するため、本発明の請求項１の引戸錠は、閉戸時に枠や柱などの受に当接して後退され、かつ常時は突出方向に付勢されたトリガーと、伝達機構を介して、前記トリガーの後退により突出するとともにトリガーの突出により後退する錠杆と、前記錠杆の後部に形成した切欠き部に係合してシリンダーやサムターンなどの操作部材により作動されるデッドハブとを備えた引戸錠であって、前記錠杆の切欠き部に係合されるデッドハブには、該デッドハブを施錠状態と解錠状態とに安定保持させる第１クリック部材が設けてあり、閉戸時に、前記トリガーが枠や柱などの受に当接して許容位置まで後退した時に、前記錠杆は伝達機構を介して突出して枠や柱などの受に設けた受孔に係合するとともに、前記デッドハブと第１クリック部材とが錠杆の後退を阻止するようにしてなることを特徴とする。
なお、ここで「枠や柱などの受」とは、枠や柱自体に直接に受孔を形成して受とする場合や、一般的に使用されているように、枠や柱に受部材（受座や箱受等）を設けて受とする場合などを意味し、広義に解する。【００１０】  請求項２の引戸錠は、請求項１において、前記伝達機構としては、一部をトリガーに連結するとともに他部を錠ケースに枢軸で枢支した第１揺動体と、第１揺動体に連結ピンで連結した第２揺動体及び第２クリック部材と、錠杆に設けた係合ピンと、一端を錠ケースに枢支するとともに、他端に前記係合ピンに係合される係合受部を有し常時には前記係合受部が係合ピンに係合するのを解除する方向にストッパーバネにより付勢されたストッパーとを備え、開戸時において、前記トリガーは突出し錠扞は後退するとともに、前記ストッパーの係合受部は錠杆の係合ピンに係合するように設けてあり、トリガーの突出状態では、シリンダーやサムターンなどの操作部材によりデッドハブを施錠方向へ作動できない構成としてあり、閉戸時において、トリガーが枠や柱などの受に当接して後退することにより、前記ストッパーの係合受部は錠杆に設けた係合ピンとの係合が解除され、前記第１揺動体は枢軸を支点に施錠方向に回動されるとともに、第２揺動体は連結ピンを支点に施錠方向に回動され該第２揺動体の係合部が錠杆に設けた係合ピンに係合しながら錠杆を施錠方向に突出させて行き、錠杆が完全に突出した状態では第２揺動体の係合部は第２クリック部材及び第１揺動体の作動により前記係合ピンとの係合が解除されるとともに、前記デッドハブの係合部は第１クリック部材の作動により錠杆の切欠き部の前部位置に係合されて錠杆の後退を阻止するように自動施錠される構成としてあり、前記施錠状態から解錠状態とするには、シリンダーやサムターンなどの操作部材により前記デッドハブを第１クリック部材の作用により解錠方向へ回動することにより錠杆を後退しながら、デッドハブの係合部が第１クリック部材の作動により錠杆の切欠き部の後部位置に係合されて錠杆を後退して開戸可能となるとともに、トリガーがトリガーバネにより突出しながら、そのトリガーバネによるトリガーの突出に連動して第１揺動体と第２揺動体が回動するとともに、前記ストッパーの係合受部が錠杆に設けた係合ピンに係合されて開戸できるようにしてある。【００１１】  請求項３の引戸錠は、請求項１または２において、前記錠杆は、後部にデッドハブ係合用の切欠き部を、前端部に凹部を有するデッドボルトと、このデッドボルトの凹部に回動可能に枢支した鎌片とからなるものである。
【発明の効果】
【００１２】  請求項１の引戸錠によれば、前記錠杆の切欠き部に係合されるデッドハブには、該デッドハブを施錠状態と解錠状態とに安定保持させる第１クリック部材が設けてあり、閉戸時に、前記トリガーが枠や柱などの受に当接して許容位置まで後退した時に、前記錠杆は伝達機構を介して突出して枠や柱などの受に設けた受孔に係合するとともに、前記デッドハブと第１クリック部材とが錠扞の後退を阻止するようにしてなるから、閉戸時において、引戸を閉めるだけで、前記デッドハブと第１クリック部材が錠杆の後退を自動的にかつ確実に本施錠するばかりか、閉戸時における戸のはね返りも防止することができる。【００１３】  請求項２の引戸錠によれば、伝達機構としては、第１揺動体と、この第１揺動体に連結した第２揺動体及び第２クリック部材と、錠杆に設けた係合ピンと、ストッパーとを備え、開戸時において、前記トリガーは突出し錠扞は後退するとともに、前記ストッパーの係合受部は錠扞の係合ピンに係合するように設けてあり、トリガーの突出状態では、シリンダーやサムターンなどの操作部材によりデッドハブを施錠方向へ作動できない構成としてあるから、開戸時には錠杆が突出することがないため、錠杆に衣服を引っ掛けたり、負傷するようなことが防止でき安全な引戸錠が提供できる。【００１４】  また、閉戸時において、トリガーが枠や柱などの受に当接して後退することにより、前記ストッパーの係合受部は錠杆に設けた係合ピンとの係合が解除され、前記第１揺動体は枢軸を支点に施錠方向に回動されるとともに、第２揺動体は連結ピンを支点に施錠方向に回動され該第２揺動体の係合部が錠杆に設けた係合ピンに係合しながら錠扞を施錠方向に突出させて行き、錠杆が完全に突出した状態では第２揺動体の係合部は第２クリック部材及び第１揺動体の作動により前記係合ピンとの係合が解除されるとともに、前記デッドハブの係合部は第１クリック部材の作動により錠扞の切欠き部の前部位置に係合されて錠杆の後退を阻止するように自動施錠される構成としてあるから、引戸を閉めるだけで錠杆が自動的にかつ確実に本施錠される。【００１５】  さらに、前記施錠状態から解錠状態とするには、シリンダーやサムターンなどの操作部材により前記デッドハブを第１クリック部材の作用により解錠方向へ回動することにより錠杆を後退しながら、デッドハブの係合部が第１クリック部材の作動により錠杆の切欠き部の後部位置に係合されて錠杆を後退して開戸可能となるとともに、トリガーがトリガーバネにより突出しながら、そのトリガーバネによるトリガーの突出に連動して第１揺動体と第２揺動体が回動するとともに、前記ストッパーの係合受部が錠杆に設けた係合ピンに係合されて開戸できるようにしてあるから、解錠操作も容易で確実に行えて開戸することができる。【００１６】  請求項３の引戸錠によれば、前記錠杆がデッドボルトと鎌片との二重構造で強度が強く防犯に優れた錠杆を有する引戸錠が提供できる。
【実施例】
【００１７】  本発明の実施例を図１〜図１３に基づいて以下に説明する。
１は錠ケース本体１ａとケース蓋（図示せず）とからなる錠ケースであって、この錠ケース１は引戸イの先端側にビス２などで取り付けてある。また、錠ケース１の前面にはフロント裏板１ｃが固定されており、このフロント裏板１ｃの前面にフロント板３がビス４などで固定してある。このフロント裏板１ｃとフロント板３には、トリガー用出入口５と錠杆用出入口６とが形成されている。【００１８】  そして、前記錠ケース１内には、後部に設けたトリガーバネ１１により常時は前記トリガー用出入口５を出没自在に突出するように付勢され、閉戸時には相手方の枠や柱ロ自体に直接に、又は枠や柱ロに設けた受部材１０１を介して間接的に設けた受１００に当接して後退されるトリガー１０が嵌装されている。【００１９】  このトリガー１０は、概略的には図５に示されるような外形を有している。その水平台板１２の前部と後部には図５において手前側から奥側に向けて貫通穴１３、１３が形成され、この貫通穴１３、１３にトリガーピン１４、１４が嵌挿されて、該トリガーピン１４、１４の両端部が錠ケース１の両側壁に形成した長孔状の案内溝１ｄ、１ｄを前進及び後退できるようにしてある。また、前記水平台板１２の略中央部に形成された取付穴１５には今一つのトリガーピン１６が植設されている。さらに、水平台板１２の前部には傾斜面１７ａと頂面１７ｂを有する突部１７が突設されており、この突部１７の頂面１７ｂが後述するストッパー２２の下面を摺接しながら移動されるようになっている。水平台板１２の後部には錠ケース１の後部側壁１ｅとの間でトリガーバネ１１を嵌装するための断面コ字状のバネ取付部１８が連設してある。【００２０】  また、錠ケース１内の前記トリガー１０より上方位置には、伝達機構２０を介して、前記トリガー１０の後退により錠杆用出入口６を出没自在に突出するとともにトリガー１０の突出により後退する錠扞３０と、前記錠扞３０の後部に形成した切欠き部３１に係合してシリンダーやサムターンなどの操作部材により作動されるデッドハブ４０とを嵌装してある。【００２１】  錠杆３０は、本発明においては特に限定しないのであるが、本実施例では後部にデッドハブ４０係合用の切欠き部３１を、前端部に凹部３２を有するデッドボルト３３と、このデッドボルト３３の凹部３２に回動可能に枢軸３５で枢支した鎌片３４とからなる。
デッドボルト３３の両側壁の中央部から後部に向けて長穴状のガイド穴３７，３７が形成され、このガイド穴３７，３７間に錠ケース１に水平方向に固定した案内棒３８を貫挿して、デッドボルト３３がガタ付くことなく移動できるようにしてある。
そして、鎌片３４の基端面３４ａは鎌片規制部材５０の下端面５１を摺接するようにして、枢軸３５を回動中心にして回動されるとともに、閉戸施錠時には該鎌片３４の基端面３４ａを鎌片規制部材５０の下端面５１が位置決めして、鎌片３４の先端側の係止部３４ｂが受１００の受孔１０２に係止されるようにしてある。なお、５２は鎌片規制部材５０のカバーである。この鎌片規制部材５０は、錠ケース１の両側壁間に取付柱５３で固定してある（図１〜図４、図９〜図１３参照）。５４は取付柱５３の挿入孔である。【００２２】  前記デッドハブ４０の基端部は、デッドハブ支持体４１に嵌挿され、該デッドハブ支持体４１を錠ケース１の両側壁間に取付柱４２で固定している。このデッドハブ４０の基端部にはハブ孔４３が形成され、このハブ孔４３に、シリンダーやサムターン（図示せず）などの操作部材により作動される操作軸（図示せず）が嵌挿されている。【００２３】  また、前記錠杆３０の切欠き部３１に係合されるデッドハブ４０の係合部４４には、一端６１を錠ケース１に回動自在に枢支した第１クリック部材６０の他端６２を連結ピン６３で連結してある。この第１クリック部材６０は、一端６１と他端６２との間にクリックモーション用バネ（以下クリックバネと略称する）６４を設けてある。【００２４】  従って、閉戸時に、前記トリガー１０が枠や柱ロなどの受１００に当接して許容位置まで後退した時に、前記錠杆３０は伝達機構２０を介して突出して枠や柱ロなどの受１００に設けた受孔１０２に係合するとともに、前記デッドハブ４０と第１クリック部材６０とが錠扞３０の後退を阻止して本施錠状態となるのである。【００２５】  次に、伝達機構２０を以下に説明する。
この伝達機構２０は、一部をトリガー１０に連結するとともに他部を錠ケース１に枢軸７１で枢支した第１揺動体７０と、第１揺動体７０に連結ピン８１で連結した第２揺動体８０及び第２クリック部材９０と、錠杆３０に設けた係合ピン３６と、一端を錠ケース１に枢支するとともに、他端に前記係合ピン３６に係合される係合受部２３を有し常時には前記係合受部２３が係合ピン３６に係合するのを解除する方向にストッパーバネ２４により付勢されたストッパー２２とを備えている。【００２６】  第１揺動体７０は、概形が図６に示すように構成されている。そこで、図６と図１を参考にして説明する。
この第１揺動体７０の一端部には、第２クリック部材９０の上端部に形成された連通孔９１に嵌挿されるピン７２が設けてあるとともに、このピン７２より少し上方位置にはトリガー１０に植設されたトリガーピン１６を嵌挿した長穴状のガイド穴７３が形成されている。このガイド穴７３は、トリガーピン１６を嵌挿することにより、トリガー１０と第１揺動体７０とを連結するだけでなく、トリガー１０の移動に連動して第１揺動体７０が枢軸７１を回動中心として回動するのを規制する役割を担っている。枢軸７１は錠ケース１の両側壁間に回転可能に枢着されており、この枢軸７１より少し他端側（上端側）には貫通穴７４を形成し、この貫通穴７４と第２揺動体８０の貫通穴８２とに前記連結ピン８１を嵌挿することにより、第１揺動体７０と第２揺動体８０とを連結している。【００２７】  第２揺動体８０は、概形が図７に示すように構成されているので、図７に沿って説明すると、同第２揺動体８０の中程位置には前記貫通穴８２が形成され、上端部は前記錠杆３０の係合ピン３６と係合するための係合部８３としてあるとともに、前記係合部８３と貫通穴８２間の左側壁には、第１揺動体７０と第２揺動体８０とを連結するための連結ピン８１に巻き掛けたバネ７５の一部を掛けるバネ受部８４が突設されている。このバネ７５によって、第２揺動体８０は、開戸状態では図１に示すように、連結ピン８１を支点として時計方向に回動するように付勢されている。つまり、開戸解錠状態では、第２揺動体８０の係合部８３は係合ピン３６との係合が解除されている（図１参照）。【００２８】  第２クリック部材９０は、第１クリック部材６０と同様に構成されているもので、連通孔９１と反対側は錠ケース１に固定手段９２で回動自在に枢支するとともに、この枢支部位と連通孔９１との間にはクリックモーション用バネ（以下クリックバネと略称する）９３が設けてある。【００２９】  ストッパー２２は、開扉解錠状態時には、錠杆３０の係合ピン３６と該ストッパー２２の係合受部２３とを係合させて、不用意な錠杆３０の突出を防止するとともに、トリガー１０を枠や柱などの受１００に当接させて閉戸施錠状態とする時には、トリガー１０の後退に連動させて前記第２揺動体８０の係合部８３を係合ピン３６に係合させて、錠扞３０を突出させる作用をする。【００３０】  このストッパー２２は、概形が図８に示すように構成されているので、これを図８に沿って説明する。
すなわち、ストッパー２２の前部には段付けした円柱部２５を形成し、該円柱部２５の両端の径小部２５ａ、２５ａを錠ケース１の両側壁に嵌装している。また、ストッパー２２の後部には前記係合受部２３が形成され、図８で左側から見て円柱部２５から中程までには段付き板部２６が形成されている。そして、円柱部２５から段付き板部２６までには前記ストッパーバネ２４が設けてあり、このストッパーバネ２４によりストッパー２２は常時には係合受部２３が係合ピン３６と係合するのを解除する方向に付勢されている。また、このストッパー２２は、トリガー１０の突部１７が円柱部２５に係止されることで、トリガー１０の開戸時における一定量以上の突出を阻止すると共に、該突部１７のガイド面としても作用する。【００３１】  以上の構成からなる本発明の作用を以下に説明する。
開戸時、つまり図１に示すように引戸イが開放した状態時には、トリガー１０はトリガーバネ１１の付勢力によってフロント板３より所定寸法だけ前方へ突出するとともに、該トリガー１０の移動に連動して伝達機構２０の作用を介して、錠杆３０は錠ケース１内に後退収納されて解錠状態なっている。【００３２】  この開戸解錠状態においては、図１に示す如く、トリガー１０の前方への突出により、トリガーピン１４、１４は錠ケース１の案内溝１ｄ、１ｄの前端位置まで移動するとともに、もう１つのトリガーピン１６は第１揺動体７０のガイド穴７３のａ地点にあって、第１揺動体７０との連結点であるピン７２を介して第２クリック部材９０はトリガー１０が突出する方向（固定手段９２を支点に反時計方向）へ回動する。それにより第１揺動体７０は枢軸７１を支点として時計方向へ回動するとともに、第２揺動体８０は連結ピン８１を支点にバネ７５の付勢力により時計方向に回動して係合部８３は係合ピン３６との係合が解除される状態となっている。【００３３】  一方、ストッパー２２は、円柱部２５がトリガー１０の突部１７でストッパーバネ２４の付勢力に抗して押されているため、該ストッパー２２の係合受部２３は錠杆３０に植設された係合ピン３６に係合（係合可能状態も含む。）されている。【００３４】  また、錠杆３０は、上記開戸状態では、図１に示す如く、案内棒３８がガイド穴３７の前端位置にあるとともに、デッドハブ４０の係合部４４と第１クリック部材６０の連結ピン６３部は、第１クリック部材６０のクリックバネ６４のクリック作用により錠杆３０の切欠き部３１の後端部位置を自動的にロックして、錠杆３０の後退姿勢を保持している。従って、図１の如く、トリガー１０が突出している状態で、シリンダーやサムターンなどの操作部材によってデッドハブ４０を施錠方向へ回動しようとしても、錠杆３０の係合ピン３６がストッパー２２の係合受部２３に係合されているので、錠杆３０を突出させることができない。故に、上記解錠状態で錠杆３０を突出させて施錠状態とするには、後述するように、トリガー１０を後退させる必要がある。【００３５】  この開戸状態においては、鎌片３４の基端面３４ａは鎌片規制部材５０の下端面５１に押されながら、デッドボルト３３と一体的に後退され、該鎌片３４は枢軸３５を支点に反時計方向に回動されながらデッドボルト３３の凹部３２内に収納されている。【００３６】  閉戸時、つまり上記開戸状態から図４に示す如く閉戸施錠状態とする場合について、以下に説明する。
先ず、引戸イを閉めて行くと、図２に示す如く、完全に閉戸される直前にトリガー１０は枠や柱ロなどの受１００に当接してトリガーバネ１１の付勢力に抗して後退する。このとき、トリガーピン１４，１４は錠ケース１の案内溝１ｄ、１ｄを少し後退するとともに、トリガーピン１６は第１揺動体７０のガイド穴７３のｂ地点にあって、第１揺動体７０は第２クリック部材９０の付勢力に抗して枢軸７１を支点として施錠方向（反時計方向）へ回動するとともに、第２揺動体８０は連結ピン８１を支点に施錠方向（反時計方向）へ回動されて係合部８３が錠杆３０の係合ピン３６と係合される。このとき、トリガー１０の突部１７が図１の位置より図２の位置まで後退して、ストッパー２２の係合受部２３は係合ピン３６との係合が解除されているので、錠杆３０が突出するのに阻害するものはない。【００３７】  そこで、引戸イを更に図３の位置まで閉めて行くと、トリガー１０が更に後退して、トリガーピン１４，１４は錠ケース１の案内溝１ｄ、１ｄの後部位置まで後退するとともに、トリガーピン１６は第１揺動体７０のガイド穴７３のｃ地点にあって、枢軸７１とピン７２と固着手段９２とが略垂直線上にあり、第１揺動体７０と第２クリック部材９０とが略垂直になる。この間において、第２揺動体８０の係合部８３が錠杆３０の係合ピン３６を錠杆突出方向へ押して行くので、錠杆３０のデッドボルト３３は受１００の受孔１０２に係入する。この場合、デッドハブ４０の係合部４４は、第１クリック部材６０のクリックバネ６４の付勢力に抗しながら、時計方向に回動され錠杆３０の切欠き部３１の略中立位置にある（図３参照）。このとき、鎌片３４はデッドボルト３３の凹部３２に収容されたままである。【００３８】  図３の状態から完全な閉戸状態の図４の状態になるまで、トリガー１０が受１００により後退されると、錠杆３０も図４のように完全に突出し本施錠状態となる。
すなわち、図４で示す状態では、トリガーピン１４、１４は錠ケース１の案内溝１ｄ、１ｄの最後端位置まで後退され、トリガーピン１６は第１揺動体７０のガイド穴７３のｄ位置にあって、第２クリック部材９０はクリックバネ９３により図３の状態より時計方向に回動され、第１揺動体７０は枢軸７１を支点にして反時計方向へ回動されるとともに、第２揺動体８０も連結ピン８１を支点に反時計方向に回動される。このとき、第２揺動体８０の係合部８３は、第２クリック部材９０及び第１揺動体７０の作用を介して、係合ピン３６との係合が解除される。【００３９】  この場合、錠杆３０は最大許容長さまで突出され、鎌片３４の基端面３４ａは鎌片規制部材５０の下端面５１の前部位置に当接して、鎌片３４の係止部３４ｂを受１００（受部材１０１の受孔１０２の壁面）に係止し本施錠状態とする。
また、このとき、デッドハブ４０の係合部４４は、第１クリック部材６０の作動により図３の中立位置から図４に示すように切欠き部３１の前部位置に係合されて錠杆３０の後退を阻止するように自動的に施錠される（図４参照）。【００４０】    図４に示す閉戸施錠状態から図１に示す開戸解錠状態になるまでを、図４、図１０〜図１３に沿って以下に説明する。【００４１】  閉戸施錠状態を示す図４においては、閉戸開始から閉戸途中まで係合していた第２揺動体８０の係合部８３と錠扞３０の係合ピン３６とは、閉戸完了直前において、トリガー１０の後退に連動する第２クリック部材９０及び第１揺動体７０の作動に伴って、第２揺動体の係合部８３が係合ピン３６を乗り越えて係合部８３と係合ピン３６との係合が解除され、錠扞３０は許容後退位置まで後退できる状態である（図４参照）。【００４２】  そこで、図１０に示すように、シリンダーやサムターンなどの操作部材（図示せず）により前記デッドハブ４０を第１クリック部材６０の作用により解錠方向へ回動することにより錠杆３０を後退しながら、デッドハブ４０の係合部４４が第１クリック部材６０の作動により錠杆３０の切欠き部３１の後部位置に係合されて錠杆を後退して行く。そして、錠杆３０が許容後退位置に来るまで前記デッドハブを解錠方向へ回動すると、鎌片３４は基端面３４ａが鎌片規制部材５０の下端面５１を後退方向へ摺接しながら、その係止部３４ｂは受孔１０２の係合部１０３から解除されるとともに、鎌片３４が枢軸３５を支点に反時計方向に回動して錠杆３０の凹部３２に収容される（図１１参照）。これにより解錠が完全に完了され、開戸が可能となる。【００４３】  上記解錠完了状態（図１１）において、図１２に示す如く、引戸を開放して行くと、トリガー１０がトリガーバネ１１により突出しながら、そのトリガーバネ１１によるトリガー１０の突出に連動して第１揺動体７０と第２揺動体８０が回動するとともに、前記ストッパー２２の係合受部２３が錠杆３０に設けた係合ピン３６に係合されて開戸できるようにしてなる（図１３参照）。【００４４】  すなわち、図１２において、トリガー１０の突出に連動して、トリガーピン１６が第１揺動体７０のガイド穴７３のｅ地点を突出方向に押すので、第１揺動体７０は枢軸７１を支点に時計方向に回動する（図１３参照）。この第１揺動体７０の回動に連動して、第２揺動体８０は連結ピンを支点に時計方向に回動しながら、該第２揺動体８０の係合部８３は係合ピン３６を乗り越えて係合されることがない。一方、トリガー１０の突部１７はストッパー２２の円柱部２５を押し付けることにより、ストッパー２２の係合受部２３は錠杆３０の係合ピン３６に係合される（図１３参照）。そして、引戸イを完全に開放すると、上記ストッパー２２の係合受部２３と係合ピン３６との係合や、第１揺動体７０や第２揺動体８０や第２クリック部材９０等は図１のリセット状態となる。【００４５】  なお、本発明において、伝達機構２０の形状や位置は図示のものに限らず適宜設計変更することができる。
また、錠杆３０は、デッドボルト３３と鎌片３４との二重構造としているが、デッドボルト３３の凹部３２を割愛して、その割愛相当部分を鎌片３４のみで構成することもできる。その他適宜設計変更することができる。【００４６】  更に、第１クリック部材６０として、この実施例では、一端を錠ケース１に枢支するとともに、他端をデッドハブ４０の係合部４４に連結した構成のものを示したが、この第１クリック部材６０は、上記構成に限定されるものではなく適宜設計変更できるものである。例えば、公知のものであるが、錠杆３０の切欠き部３１の近傍に板バネの一端を横向きに固定するとともに、該板バネを錠杆３０の切欠き部３１に臨ませるように設ける。そして、この板バネの付勢力に抗してデッドハブ４０の係合部４４を回動させることによって、錠杆３０の突出（施錠）状態又は後退（解錠）状態を安定保持させるように構成したものでもよい。このように、第１クリック部材６０は錠ケース１に枢支したり、デッドハブ４０と連結したりする構成でなくてもよく、適宜設計できるものである。
【産業上の利用可能性】
【００４７】  本発明の引戸錠は、片引戸のみならず、引違い戸にも採用できるものである。
【図面の簡単な説明】
【００４８】
【図１】  本発明の一実施例の開戸時における縦断面図である。
【図２】  閉戸開始時における縦断面図である。
【図３】  閉戸中途時における縦断面図である。
【図４】  閉戸時完了時における縦断面図である。
【図５】  トリガーの概略斜視図である。
【図６】  第１揺動体の概略斜視図である。
【図７】  第２揺動体の概略斜視図である。
【図８】  ストッパーの概略斜視図である。
【図９】  鎌片規制部材の概略斜視図である。
【図１０】  閉戸施錠状態から解錠開始時の縦断面図である。
【図１１】  図１０の状態から解錠完了した状態の縦断面図である。
【図１２】  図１１の状態から開戸開始時の縦断面図である。
【図１３】  開戸完了直前における縦断面図である。
【符号の説明】
【００４９】１        錠ケース
３        フロント板
５        トリガー用出入口
６        錠杆用出入口
１０      トリガー
１１      トリガーバネ
１４      トリガーピン
１６      トリガーピン
１７      突部
２０      伝達機構
２２      ストッパー
２３      係合受部
２４      ストッパーバネ
３０      錠杆
３１      切欠き部
３２      凹部
３３      デッドボルト
３４      鎌片
３６      係合ピン
４０      デッドハブ
４４      係合部
５０      鎌片規制部材
６０      第１クリック部材
６３      連結ピン
６４      クリックバネ
７０      第１揺動体
７１      枢軸
７３      ガイド穴
８０      第２揺動体
８１      連結ピン
８３      係合部
９０      第２クリック部材
９３      クリックバネ
１００    受
１０２    受孔
【図１】
2006152776.tif 000003
【図２】
2006152776.tif 000004
【図３】
2006152776.tif 000005
【図４】
2006152776.tif 000006
【図５】
2006152776.tif 000007
【図６】
2006152776.tif 000008
【図７】
2006152776.tif 000009
【図８】
2006152776.tif 000010
【図９】
2006152776.tif 000011
【図１０】
2006152776.tif 000012
【図１１】
2006152776.tif 000013
【図１２】
2006152776.tif 000014
【図１３】
2006152776.tif 000015